(57)【要約】【課題】飾り層の裁断の際の裁断寸法の測長、あるいは装飾紐の長さの測長を容易に行うことができる装飾紐の製作板を提供する。【解決手段】製作板１１の表面に対し、装飾紐の表皮となる飾り布１５を裁断する際に寸法取りに用いられる第１〜第４スケール２５〜２８を設ける。第１スケール２５及び第２スケール２６に原反１５ａの一側縁と一端縁を位置合わせして、飾り布１５の裁断のための長さと幅の寸法取りを行い、裁断予定線ｋ１，ｋ２を描く。この裁断予定線ｋ１，ｋ２に沿って原反１５ａを鋏により裁断し、所定寸法の飾り布１５を製作する。前記第１スケール２５により製作された装飾紐の長さを測長することもできる。【選択図】図４
0003125450.tif 000002
【実用新案登録請求の範囲】
【請求項１】
製作板の表面及び裏面の少なくとも一方に対し、装飾紐の表皮となる飾り層を原反から裁断する際、又は装飾紐の長さの測長の際に用いられるスケールを設けたことを特徴とする装飾紐の製作板。
【請求項２】
請求項１において、前記製作板は横長四角形状に形成され、前記スケールは製作板の四辺のうち少なくとも一つの長辺に沿って平行に形成されていることを特徴とする装飾紐の製作板。  
【請求項３】
請求項１又は２において、前記製作板の表面には、原反から裁断された飾り層の一側縁の位置を設定するための直線状の位置設定線が設けられていることを特徴とする装飾紐の製作板。
【請求項４】
請求項３において、前記位置設定線は複数本平行に形成されていることを特徴とする装飾紐の製作板。
【請求項５】
請求項３又４において、前記製作板の表面に対し前記位置設定線と斜交する直線状の斜線を設けたことを特徴とする装飾紐の製作板。
【請求項６】
請求項５において、前記位置設定線に対する傾斜角の異なる斜線が複数本設けられていることを特徴とする装飾紐の製作板。
【請求項７】
請求項１〜６のいずれか一項において、前記製作板の表面及び裏面に前記スケールを設けたことを特徴とする装飾紐の製作板。
【請求項８】
請求項２〜７のいずれか一項において、前記スケールは製作板の二つの短辺のうち少なくとも一つの短辺に沿って平行に形成されていることを特徴とする装飾紐の製作板。  
【請求項９】
請求項８において、前記スケールは製作板の四辺の各辺に沿って平行に形成され、各スケールの目盛は１ｃｍの等ピッチの縦横の直線目盛により碁盤目状に形成されていることを特徴とする装飾紐の製作板。
【請求項１０】
請求項９において、前記縦横の直線目盛は、５ｃｍ毎に太線となっていることを特徴とする装飾紐の製作板。
【請求項１１】
請求項２〜１０のいずれか一項において、前記製作板の全長寸法は、２５〜４０ｃｍの範囲、全幅寸法は、１０〜２０ｃｍの範囲、厚さ寸法は、３〜１０ｍｍの範囲に設定されていることを特徴とする装飾紐の製作板。
【請求項１２】
請求項３〜６のいずれか一項において、前記位置設定線は、製作板の長辺に平行な前記スケールの複数の直線目盛に接触するように設けられた一本の直線であることを特徴とする装飾紐の製作板。
【考案の詳細な説明】
【技術分野】
【０００１】
この考案は、装飾紐の製作板に関し、さらに詳しくは芯となる紐の外周面に飾り層を巻き付け接着した装飾紐の前記飾り層を原反から裁断する際、又は装飾紐の長さの測長の際に用いられるスケールを有する装飾紐の製作板に関するものである。
【背景技術】
【０００２】
従来、紐を使った例えば花瓶敷や鍋敷あるいはペンダント等は紐それ自体を渦巻状に巻き付け接着するようにしたり、所望する形状に折り曲げて接着したりしていた。ところが、上記の装飾紐は、既製の紐をそのまま用いているので、紐自体が有するデザイン以外の各種のデザインの物品を製作することができないという問題があった。
【０００３】
上記従来の問題点を解消するため、特許文献１には、デザインの優れた商品価値のある物品を製作することができる装飾紐の製作方法が提案されている。この製作方法は、製作板の上面に短冊状の飾り布を展開して載置した後、該飾り布の上面に両面接着テープを貼着し、次に、直線状に保持することができるよう中心部の孔に芯線を挿入させた紐を前記両面接着テープの上面の端縁に載せる。そして、前記紐を直線状に保持したまま該紐を転がしながら紐の外周面に接着テープにより飾り布を巻き付け接着するものである。
【特許文献１】特開平１１−２８６８５８号公報
【考案の開示】
【考案が解決しようとする課題】
【０００４】
ところが、上記従来の装飾紐の製作方法に用いられる飾り布の製作板は、単純な平面横長四角形状に形成されていただけであるため、原反から飾り布を所定の形状に裁断する際には、原反に別途用意された測長用スケールを用いて寸法取りをする必要があるという問題があった。又、製作された装飾紐の長さの測長の際にも別途用意された測長用スケールを用いる必要があるという問題があった。
【０００５】
さらに、短冊状の飾り布を製作板に載せたとき、飾り布が蛇行し易いので、その長辺側の一側縁を直線状にすることが難しく、装飾紐の製作を適正に行うことができないという問題もあった。
【０００６】
ところで、原反から前記飾り布を裁断する際に、原反に前記両面接着テープを例えば４５°の傾斜状態で接着し、該テープの両側縁に沿って原反をバイアスカットすることにより飾り布に趣きを付与することも行われる。この際、原反をその互いに直交する二辺が重なるように二層に折り畳んで傾斜方向の折り目線を付け、この折り目線に沿うように前記両面接着テープを接着するようになっている。しかし、前記原反に対する折り目線が所望する例えば４５°の角度になっているか否かを判別することが非常に難しく、原反から飾り布を適正角度にバイアスカットするのが難しいという問題があった。
【０００７】
本考案の主たる目的は、上記従来の技術に存する問題点を解消して、飾り層の裁断の際の裁断寸法の測長、あるいは装飾紐の長さの測長を容易に行うことができる装飾紐の製作板を提供することにある。
【０００８】
本考案の別の目的は、上記目的に加えて、装飾紐の製作を適正に行うことができる装飾紐の製作板を提供することにある。
本考案のさらに別の目的は、上記目的に加えて、原反から飾り層を適正角度にバイアスカットすることができる装飾紐の製作板を提供することにある。
【課題を解決するための手段】
【０００９】
上記問題点を解決するために、請求項１に記載の考案は、製作板の表面及び裏面の少なくとも一方に対し、装飾紐の表皮となる飾り層を原反から裁断する際、又は装飾紐の長さの測長の際に用いられるスケールを設けたことを要旨とする。
【００１０】
請求項２に記載の考案は、請求項１において、前記製作板は横長四角形状に形成され、前記スケールは製作板の四辺のうち少なくとも一つの長辺に沿って平行に形成されていることを要旨とする。
【００１１】
請求項３に記載の考案は、請求項１又は２において、前記製作板の表面には、原反から裁断された飾り層の一側縁の位置を設定するための直線状の位置設定線が設けられていることを要旨とする。
【００１２】
請求項４に記載の考案は、請求項３において、前記位置設定線は複数本平行に形成されていることを要旨とする。
請求項５に記載の考案は、請求項３又４において、前記製作板の表面に対し前記位置設定線と斜交する直線状の斜線を設けたことを要旨とする。
【００１３】
請求項６に記載の考案は、請求項５において、前記位置設定線に対する傾斜角の異なる斜線が複数本設けられていることを要旨とする。
請求項７に記載の考案は、請求項１〜６のいずれか一項において、前記製作板の表面及び裏面に前記スケールを設けたことを要旨とする。
【００１４】
請求項８に記載の考案は、請求項２〜７のいずれか一項において、前記スケールは製作板の二つの短辺のうち少なくとも一つの短辺に沿って平行に形成されていることを要旨とする。
【００１５】
請求項９に記載の考案は、請求項８において、前記スケールは製作板の四辺の各辺に沿って平行に形成され、各スケールの目盛は１ｃｍの等ピッチの縦横の直線目盛により碁盤目状に形成されていることを要旨とする。
【００１６】
請求項１０に記載の考案は、請求項９において、前記縦横の直線目盛は、５ｃｍ毎に太線となっていることを要旨とする。
請求項１１に記載の考案は、請求項２〜１０のいずれか一項において、前記製作板の全長寸法は、２５〜４０ｃｍの範囲、全幅寸法は、１０〜２０ｃｍの範囲、厚さ寸法は、３〜１０ｍｍの範囲に設定されていることを要旨とする。
【００１７】
請求項１２に記載の考案は、請求項３〜６のいずれか一項において、前記位置設定線は、製作板の長辺に平行な前記スケールの複数の直線目盛に接触するように設けられた一本の直線であることを要旨とする。
【００１８】
（作用）
請求項１に記載の考案は、製作板に設けられたスケールにより原反に対し飾り層を裁断するための長さと幅の寸法取り、あるいは製作された装飾紐の長さの測長を行うことができ、別途測長用スケールを用意する必要がなく、前記寸法取りあるいは測長を容易に行うことができる。
【００１９】
請求項２に記載の考案は、前記スケールが製作板の長辺に沿って平行に形成されているので、スケールの全長を長く設定でき、飾り層の裁断寸法又は装飾紐の測長寸法を長くすることができる。
【００２０】
請求項３又は４に記載の考案は、位置設定線に飾り層の一側縁を蛇行しないように一致させることにより飾り層を適正姿勢に載置することができ、装飾紐の製作を適正に行うことができる。
【００２１】
請求項５に記載の考案は、前記位置設定線に原反の一側縁（一辺）を一致させた状態で、原反の前記一側縁と交差する他側縁（他辺）を前記一側縁に重ね合わせて原反を二層に折り畳んで原反に斜めの折り目線を付ける際に、前記折り目線の方向を斜線と一致させることにより前記折り目線の傾斜角を適正に設定することができる。このため、原反から飾り層を適正にバイアスカットすることができる。
【００２２】
請求項６に記載の考案は、傾斜角の異なる斜線により原反の折り目線の傾斜角を異なる傾斜角に容易に設定することができ、原反から飾り層をバイアスカットする際に、異なるバイアス角に容易に設定することができる。
【００２３】
請求項７に記載の考案は、製作板の表面及び裏面に前記スケールが設けられているので、製作板の表面又は裏面を選択する必要がなく、原反に対し飾り層を裁断するための寸法取り等を容易に行うことができる。
【００２４】
請求項８に記載の考案は、スケールが製作板の長辺及び短辺に沿って形成されているので、原反に対し飾り層を裁断するための長さと幅の寸法取りを容易に行うことができる。
請求項９に記載の考案は、前記スケールが製作板の四辺の各辺に沿って平行に形成され、各スケールの目盛は１ｃｍの等ピッチの縦横の直線目盛により碁盤目状に形成されているので、原反に対し飾り層を裁断するための長さと幅の寸法取りをさらに容易に行うことができる。
【００２５】
請求項１０に記載の考案は、前記縦横の直線目盛は、５ｃｍ毎に太線となっているので、大まかな長さ寸法の認識が容易となり、原反に対し飾り層を裁断するための長さと幅の寸法取りの際に、全長寸法を容易に設定することができる。
【００２６】
請求項１１に記載の考案は、製作板を小型化することができ、鞄等に入れて持ち運びを容易に行うことができる。
請求項１２に記載の考案は、スケールの一本の直線に位置設定線としての機能が付与されているので、構成を簡素化することができる。
【考案の効果】
【００２７】
請求項１〜１２のいずれか一項に記載の考案によれば、飾り層の裁断の際の長さと幅の寸法取りあるいは装飾紐の長さの測長を容易に行うことができる。
請求項３に記載の考案によれば、装飾紐の製作を適正に行うことができる。
【００２８】
請求項５に記載の考案は、原反を裁断して飾り層をバイアスカットする際に、原反に対しバイアス角を適正に設定することができる。
【考案を実施するための最良の形態】
【００２９】
最初に、図３により装飾紐の製作方法に用いられる製作板と、装飾紐の素材について説明する。
図３の符号１１は平面視で長四角形状をなす製作板であって、図示しない作業用テーブルの上面に支持される。該製作板１１の下面側にはゴム製の滑り防止プレート１２が接着されている。この滑り防止プレート１２は下側表面が粗面となっていて、前記テーブルの上面に載置された状態で、該テーブルとの接触摩擦抵抗が大きくなり製作板１１が滑り難くなるようにしている。
【００３０】
図３の符号１３は綿繊維あるいはナイロン繊維を撚り合わせた糸を交互に編成して形成した変形自在の紐であって、その中心部には孔１３ａが全長に亘って形成されている。１４は前記紐１３の孔１３ａに挿入される芯線であって、前記紐１３の孔１３ａに芯線１４を挿通することにより、紐１３を直線状に保持することができる。１５は前記紐１３の外周面に接着される表皮としての飾り層を形成する飾り布であって、この飾り布１５には所望する形状のデザイン、例えば図３のように斜線を交互に平行に形成し、その菱形の枠内の色彩を変化させた模様が施されている。
【００３１】
１６は前記紐１３と飾り布１５を接着するための両面接着テープであって、樹脂製の接着テープ本体１７と、その上下両面に接着された接着層１８，１９と、接着層１８，１９を遮蔽する上部及び下部の遮蔽シート２０，２１とにより構成されている。
【００３２】
次に、前記製作板１１について説明する。
この製作板１１は、図５（ａ）に示すように、合成樹脂製のプレート２２と、該２２の表面に被覆した布製のカバー２３と、前記プレート２２の下面に接着した前記滑り防止プレート１２とにより構成されている。
【００３３】
図１に示すように、前記カバー２３の表面には、製作板１１の二つの長辺１１ａ，１１ｂと、二つの短辺１１ｃ，１１ｄのうち下側の一つの長辺１１ｂに沿って第１スケール２５が平行に形成されている。又、左側の短辺１１ｃに沿って第２スケール２６が平行に形成されている。さらに、上側の長辺１１ａに沿って第３スケール２７が平行に形成されている。右側の短辺１１ｄに沿って第４スケール２８が平行に形成されている。第１及び第２スケール２５，２６と、第３及び第４スケール２７，２８とは、同様に形成されているので、第１及び第２スケール２５，２６について以下に説明し、第３及び第４スケール２７，２８の第１及び第２スケール２５，２６と関連する構成には、対応する符号を付して説明を省略する。
【００３４】
前記カバー２３の表面には、長辺１１ｂに沿うように第１スケール２５の直線目盛２５ａが１ｃｍの等間隔で形成され、被測定物を全長で２５ｃｍまで測長できるようになっている。５ｃｍ毎に直線目盛２５ａが太く描かれている。前記各直線目盛２５ａの一端とそれぞれ直交する一本の直線２５ｂが描かれている。各直線目盛２５ａと対応するように長さの単位であるｃｍを表す数値「１」〜「２５」も描かれている。
【００３５】
前記カバー２３の表面には、短辺１１ｃに沿うように第２スケール２６の直線目盛２６ａが１ｃｍの等間隔で形成され、被測定物を全長で８ｃｍまで測長できるようになっている。５ｃｍ毎に直線目盛２６ａが太く描かれている。前記各直線目盛２６ａの一端とそれぞれ直交する直線２６ｂが描かれている。各直線目盛２６ａと対応するように長さの単位であるｃｍを表す数値「１」〜「８」も描かれている。
【００３６】
この実施形態では、図１に示す前記製作板１１の全長Ｌ寸法は２５〜４０ｃｍの範囲で例えば２９ｃｍに、全幅Ｗ寸法は１０〜２０ｃｍの範囲で例えば１２ｃｍに、厚さ寸法は３〜１０ｍｍの範囲で、例えば７ｍｍに設定されている。
【００３７】
次に、前記製作板１１の第１スケール２５及び第２スケール２６を用いて、図３に示された所定形状の飾り布１５を裁断する方法について説明する。
図４に示すように、飾り布１５を裁断するための原反１５ａを製作板１１の上面に載せて、前記第１及び第２スケール２５，２６に対し前記原反１５ａの互いに直交する二つの端縁を位置合わせする。そして、第１スケール２５及び第２スケール２６を用いて、原反１５ａに飾り布１５を裁断するための寸法取りを行う。この寸法取りは、通常、原反１５ａに裁断予定線ｋ１，ｋ２を描くことにより行われる。具体的には、第１スケール２５により例えば２０ｃｍのところに裁断予定線ｋ１を描くとともに、第２スケール２６により例えば２．５ｃｍのところに裁断予定線ｋ２を描く。その後、二本の裁断予定線に沿って原反１５ａを鋏等により裁断すると、所定形状の飾り布１５が得られる。
【００３８】
図１に示すように、前記製作板１１の中央部には二本の直線よりなる飾り布１５の位置設定線２９，３０が互いに平行に描かれ、製作板１１の上面に前記飾り布１５を適正に載置する基準線として機能するようにしている。
【００３９】
図２に示すように、前記製作板１１の裏面側の滑り防止プレート１２には、製作板１１の四辺に沿って前記第１及び第２スケール２５，２６及び第３及び第４スケール２７，２８と同様のスケール２５〜２８が描かれている。各スケール２５〜２８の各直線目盛２５ａ〜２８ａは碁盤目状に交差するように形成されている。
【００４０】
次に、前記のように構成した製作板１１及び素材を用いて装飾紐を製作する方法を図５〜図７に基づいて説明する。なお、図５（ａ）〜（ｄ）においては紐１３、飾り布１５、両面接着テープ１６等を簡略して表している。
【００４１】
図５（ａ）に示すように、製作板１１の滑り防止プレート１２の上面に前記飾り布１５をその表面側が下となるように載置する。
次に、この飾り布１５の上面に対し両面接着テープ１６の下方の遮蔽シート２１を剥離した状態で、図５（ｂ）に示すように、該接着テープ１６の下側の接着層１９を飾り布１５の上面に接着する。
【００４２】
その後、前記両面接着テープ１６の上部の遮蔽シート２０を図５（ｃ）に示すように剥離した状態で、芯線１４を挿通した紐１３を両面接着テープ１６の上部の接着層１８の一側縁に載置して接着する（この状態を図６の斜視図に示す）。この状態において、図５（ｃ）、図５（ｄ）に示すように紐１３を矢印方向に回転することにより、紐１３の外周面に両面接着テープ１６により飾り布１５が巻付接着される。
【００４３】
このようにして得られた装飾紐３１には、図７に示すように紐１３の外周面に飾り布１５が円筒状に接着されるので、その外周面のデザインを所望する形状とすることができる。
【００４４】
ところで、図６は飾り布１５の全長が２０ｃｍに設定されているので、飾り布１５が全長２９ｃｍの製作板１１からはみ出すことはない。しかし、飾り布１５の全長が例えば５０ｃｍに設定された場合には、飾り布１５が製作板１１からはみ出すことになる。この場合には、二枚の製作板１１を直列に並べた状態で装飾紐３１の製作を行うのが望ましい。しかし、一枚の製作板１１の上面で飾り布１５の一端部側から装飾紐３１を部分的に製作しつつ、装飾紐３１となった部分を製作板１１の上面から横方向に移動させて順次装飾紐３１を製作するようにしてもよい。
【００４５】
次に、前記のように構成した装飾紐３１の製作用の製作板１１の作用効果を説明する。
（１）前記実施形態では、製作板１１の長辺１１ｂに沿って第１スケール２５を形成したので、別途測長用スケールを用意しなくても済み、装飾紐３１の表皮となる飾り布１５を裁断する際に長さの寸法取りを行うことができ、飾り布１５の裁断を容易に行うことができる。
【００４６】
又、任意の長さ寸法に製作された装飾紐３１の全長寸法を第１スケール２５により容易に測長することができるとともに、この装飾紐３１を所定長さに切断する際にも、切断寸法を容易に測長することができる。
【００４７】
（２）前記実施形態では、製作板１１に第１及び第２スケール２５，２６を形成したので、原反１５ａに対し飾り布１５を裁断する際に長さ及び幅の寸法取りを適正かつ迅速に行うことができ、飾り布１５の裁断を適正かつ迅速に行うことができる。
【００４８】
（３）前記実施形態では、位置設定線２９，３０により飾り布１５の長辺側の二つの側縁を蛇行することなく直線状に設定することができるので、装飾紐３１の製作を適正に行うことができる。
【００４９】
（４）前記実施形態では、図８に示すように、前記位置設定線３０に対し原反１５ａの横方向の一側縁（一辺）ｅ１を一致させた状態で、縦方向の他側縁（他辺）ｅ２が前記一側縁ｅ１に一致するように原反１５ａを二点鎖線で示すように二層に折り畳んで、原反１５ａに前記一側縁に対する傾斜角が４５°の折り目線Ｆを形成する。そして、前記折り目線Ｆに沿って前記接着テープ１６が平行になるように、該接着テープ１６の接着層１９を原反１５ａに接着する。次に、前記原反１５ａを折り畳んだ状態から展開した後、前記接着テープ１６の両側縁に沿って原反１５ａを鋏によりバイアスカットして、原反１５ａから飾り布１５を作成し、飾り布１５に趣を付与する。このバイアスカットの際に、原反１５ａの互いに直交する二つの側縁ｅ１，ｅ２を前記位置設定線３０により直線状に容易に設定することができ、飾り布１５のバイアス角を適正に設定することができる。
【００５０】
（５）前記実施形態では、前記製作板１１の表面及び裏面に前記スケール２５〜２８が設けられているので、原反１５ａに対する寸法取り等の際に、製作板１１の表面又は裏面を選択する必要がなく、寸法取り等を容易に行うことができる。
【００５１】
（６）前記実施形態では、製作板１１の裏面に対し、前記スケール２５〜２８が製作板１１の四辺の各辺に沿って平行に形成され、各スケールの直線目盛は１ｃｍの等ピッチの縦横の直線目盛２５ａ〜２８ａにより碁盤目状に形成されているので、飾り布１５の長さと幅の寸法取りをさらに適正に行うことができる。
【００５２】
（７）前記実施形態においては、縦横の直線目盛２５ａ，２６ａは、５ｃｍ毎に太線となっているので、大まかな長さ寸法の認識が容易となり、飾り布１５の長さと幅の寸法取り等の際の測長動作を迅速に行うことができる。
【００５３】
（８）前記実施形態では、前記製作板１１の全長寸法を２５〜４０ｃｍの範囲、全幅寸法を１０〜２０ｃｍ、厚さ寸法を３〜１０ｍｍの範囲に設定したので、製作板１１を小型化することができ、鞄等に入れて持ち運びを容易に行うことができる。
【００５４】
なお、この考案の前記実施形態は以下のように変更することもできる。
・図９に示すように、製作板１１の表面に対し、位置設定線３０に対する傾斜角が４５°の直線状の斜線３２を一箇所又は複数箇所に形成してもよい。この場合には、原反１５ａ（以下図８の符号参照）の横方向の一側縁ｅ１を前記位置設定線３０に一致させた状態で、縦方向の他側縁ｅ２が前記一側縁ｅ１側にくるように折り畳んだ状態で、折り目線Ｆを斜線３２に一致させることによりバイアスカットの傾斜角を４５°に適正に設定することができる。
【００５５】
・図９に示す複数の斜線３２の傾斜角を４５°の他に、例えば３０°、３５°、４０°、５０°、５５°、６０°あるいは６５°というように相違させてもよい。この場合には、原反１５ａのバイアスカットの際に、一側縁ｅ１（図８参照）に対する折り目線Ｆの傾斜角を適正に変更することができる。
【００５６】
・前記斜線３２を製作板１１の裏面に形成したり、裏面のみに形成したりしてもよい。
・図１０に示すように、製作板１１の上面に対し、第１スケール２５のみを形成してもよい。この別例において、下面のスケールを全て省略してもよい。
【００５７】
・図１１に示すように、製作板１１の上面に対し、第１スケール２５と位置設定線３０のみを形成してもよい。この別例において、下面のスケールを全て省略してもよい。
・図１２に示すように、製作板１１の上面に対し、第１スケール２５、位置設定線３０及び斜線３２のみを形成してもよい。この別例において、斜線３２を二点鎖線で示すように形成してもよい。又、下面のスケールを全て省略してもよい。
【００５８】
・前述した本実施形態において、前記製作板１１の表面側のスケール２５〜２８を全て省略してもよい。又、表面側の第３及び第４スケール２７，２８を省略してもよい。
・前述した本実施形態において、前記製作板１１の裏面側のスケール２５〜２８を全て省略してもよい。又、裏面側の第３及び第４スケール２７，２８を省略してもよい。さらに、裏面側の第２〜第４スケール２６〜２８を省略してもよい。
【００５９】
・前記スケール２５〜２８の直線目盛２５ａ〜２８ａに直交するように形成された直線２５ｂ〜２８ｂを省略してもよい。
・前記製作板１１の表面の位置設定線２９，３０を一本にしたり、三本以上互いに平行に描いたりしてもよい。
【００６０】
・前記位置設定線２９，３０を省略し、前記直線２５ｂに位置設定線３０の機能を付与してもよい。この場合には、構成を簡素化することができる。
・スケール２５〜２８の各直線目盛２５ａ〜２８ａを、直線以外の例えば・、○等に変更してもよい。
【００６１】
・図１に示す製作板１１の表面に対し図２に示す第１〜第４スケール２５〜２８を形成してもよい。
・前記各実施形態の異なる構成を二つ以上組み合わせてもよい。
【００６２】
・可撓性を有する紐として、樹脂あるいはゴム等の紐を用いてもよい。
・飾り層として飾り布以外に樹脂テープ、金属箔、あるいは木の葉等を用いてもよい。
・中心部に芯線を挿通する孔のない紐を用いてもよい。
【００６３】
・両面接着テープに代えて、糊や通常の接着剤、瞬間接着剤等を用いてもよい。
・両面接着テープの構造として、布あるいは多孔性を有する樹脂シートに接着剤を含浸させ、その表裏両面に遮蔽シートを接着したものを用いてもよい。
【図面の簡単な説明】
【００６４】
【図１】この考案の装飾紐の製作に用いられる製作板を示す平面図。
【図２】製作板を示す裏面図。
【図３】装飾紐の製作に用いられる製作板と装飾紐の素材を示す斜視図。
【図４】装飾紐の表皮となる飾り布の裁断方法を説明する斜視図。
【図５】（ａ）〜（ｄ）は、装飾紐の製作方法を説明する断面図。
【図６】装飾紐の製作方法を説明する斜視図。
【図７】装飾紐の部分斜視図。
【図８】原反から飾り布を裁断する別の方法を示す平面図。
【図９】この考案の別の実施形態を示す平面図。
【図１０】この考案の別の実施形態を示す平面図。
【図１１】この考案の別の実施形態を示す平面図。
【図１２】この考案の別の実施形態を示す平面図。
【符号の説明】
【００６５】
１１…製作板、１１ａ，１１ｂ…長辺、１１ｃ，１１ｄ…短辺、１５ａ…原反、２５ａ〜２８ａ…直線目盛、２５ｂ〜２８ｂ…直線、２５〜２８…第１〜第４スケール、２９，３０…位置設定線、３１…装飾紐、３２…斜線。
【図１】
0003125450.tif 000003
【図２】
0003125450.tif 000004
【図３】
0003125450.tif 000005
【図４】
0003125450.tif 000006
【図５】
0003125450.tif 000007
【図６】
0003125450.tif 000008
【図７】
0003125450.tif 000009
【図８】
0003125450.tif 000010
【図９】
0003125450.tif 000011
【図１０】
0003125450.tif 000012
【図１１】
0003125450.tif 000013
【図１２】
0003125450.tif 000014